(57)【特許請求の範囲】
【請求項１】
携帯用情報機器であって、
筐体と、
前記筐体の背面を覆うように設けられるカバー装置と、
を備え、
前記カバー装置は、
前記筐体の背面に沿って設けられるベースカバー部と、
前記ベースカバー部に対して相対的に回動可能に設けられることで、前記筐体の背面に沿って設けられる収納位置と、前記筐体の背面から突出した起立位置とに移動可能なスタンドカバー部と、
ヒンジ軸と、前記ヒンジ軸と回動可能に連結され、前記筐体の背面と相対的に固定される第１ブラケットと、前記第１ブラケットと前記ヒンジ軸の軸方向で隣接して設けられると共に、前記ヒンジ軸と回動可能に連結され、前記スタンドカバー部と固定される第２ブラケットと、を有するヒンジ装置と、
を有し、
前記第１ブラケットは、前記軸方向で前記第２ブラケット側を向いた側端面における前記ヒンジ軸側の根本部分に第１切欠形状部を有し、
前記第２ブラケットは、前記軸方向で前記第１ブラケット側を向いた側端面における前記ヒンジ軸側の根本部分に第２切欠形状部を有し、
前記ベースカバー部は、第１芯材と、該第１芯材よりも柔軟な材質で形成され、該ベースカバー部の表面を形成する第１表面材と、を有し、
前記スタンドカバー部は、第２芯材と、該第２芯材よりも柔軟な材質で形成され、該スタンドカバー部の表面を形成する第２表面材と、を有し、
前記第１芯材は、前記第１ブラケットが配設される第１ブラケット配置穴と、該第１ブラケット配置穴の内周面から前記第１切欠形状部内へと突出した第１突出部を有し、
前記第２芯材は、前記第２ブラケットが配設される第２ブラケット配置穴と、該第２ブラケット配置穴の内周面から前記第２切欠形状部内へと突出した第２突出部を有する
ことを特徴とする携帯用情報機器。
【請求項２】
請求項１に記載の携帯用情報機器であって、
前記ヒンジ装置は、少なくとも前記ヒンジ軸の軸中心が前記ベースカバー部及び前記スタンドカバー部の表面よりも低い位置にある
ことを特徴とする携帯用情報機器。
【請求項３】
請求項１又は２に記載の携帯用情報機器であって、
前記筐体は、
第１筐体と、
前記第１筐体と隣接し、前記第１筐体と相対的に回動可能に連結された第２筐体と、
を備え、
前記ベースカバー部は、
前記第１筐体の背面に対して前記第１筐体と前記第２筐体の並び方向に沿って相対移動可能に設けられたスライドカバー部と、
前記第２筐体の背面に対して相対的に固定された固定カバー部と、
前記スライドカバー部と前記固定カバー部との間を相対的に回動可能に接続する折曲カバー部と、
を有し、
前記スタンドカバー部は、前記第２筐体の背面に対して移動可能に配置され、前記ヒンジ装置を挟んで前記固定カバー部と隣接している
ことを特徴とする携帯用情報機器。
【請求項４】
請求項３に記載の携帯用情報機器であって、
少なくとも前記第１筐体の表面に設けられたディスプレイと、
前記第１筐体の表面における前記ディスプレイの周縁部に設けられたカメラと、
をさらに備えることを特徴とする携帯用情報機器。
【請求項５】
携帯用情報機器の筐体の背面を覆うカバー装置であって、
ベースカバー部と、
前記ベースカバー部に対して相対的に回動可能に設けられるスタンドカバー部と、
ヒンジ軸と、前記ヒンジ軸と回動可能に連結され、前記ベースカバー部と相対的に固定される第１ブラケットと、前記第１ブラケットと前記ヒンジ軸の軸方向で隣接して設けられると共に、前記ヒンジ軸と回動可能に連結され、前記スタンドカバー部と固定される第２ブラケットと、を有するヒンジ装置と、
を備え、
前記第１ブラケットは、前記軸方向で前記第２ブラケット側を向いた側端面における前記ヒンジ軸側の根本部分に第１切欠形状部を有し、
前記第２ブラケットは、前記軸方向で前記第１ブラケット側を向いた側端面における前記ヒンジ軸側の根本部分に第２切欠形状部を有し、
前記ベースカバー部は、第１芯材と、該第１芯材よりも柔軟な材質で形成され、該ベースカバー部の表面を形成する第１表面材と、を有し、
前記スタンドカバー部は、第２芯材と、該第２芯材よりも柔軟な材質で形成され、該スタンドカバー部の表面を形成する第２表面材と、を有し、
前記第１芯材は、前記第１ブラケットが配設される第１ブラケット配置穴と、該第１ブラケット配置穴の内周面から前記第１切欠形状部内へと突出した第１突出部を有し、
前記第２芯材は、前記第２ブラケットが配設される第２ブラケット配置穴と、該第２ブラケット配置穴の内周面から前記第２切欠形状部内へと突出した第２突出部を有する
ことを特徴とするカバー装置。
【請求項６】
請求項５に記載のカバー装置であって、
前記ヒンジ装置は、少なくとも前記ヒンジ軸の軸中心が前記ベースカバー部及び前記スタンドカバー部の表面よりも低い位置に設けられている
ことを特徴とするカバー装置。
【発明の詳細な説明】
【技術分野】
【０００１】
本発明は、カバー装置を備える携帯用情報機器及びカバー装置に関する。
【背景技術】
【０００２】
ノート型ＰＣやタブレット型ＰＣ等の携帯用情報機器は、持ち運び時の損傷や破損を避ける必要がある。また、携帯用情報機器は、外観意匠や触感が高品質であることが望まれる。そこで、携帯用情報機器の保護用或いは装飾用として、筐体の外面にカバー装置が装着されることがある。本出願人は特許文献１において、折り畳み型のタブレット型ＰＣに対応したカバー装置を提案している。
【先行技術文献】
【特許文献】
【０００３】
【特許文献１】特開２０１８−１０５９６１号公報
【発明の概要】
【発明が解決しようとする課題】
【０００４】
上記特許文献１に記載されているように、カバー装置は、単に筐体の外面を覆うだけでなく、必要に応じて回動させることで機器のスタンドとして機能することも求められている。この種のカバー装置は、筐体の外面に相対的に固定されるベースカバー部と、このベースカバー部に対してヒンジ装置を用いて相対的に回動するスタンドカバー部と、を有する。
【０００５】
ところで、カバー装置は、その外観意匠や触感等を考慮して、最外層の表面材に天然皮革や人工皮革等の柔軟な素材が用いられることがある。この種の素材を用いたカバー装置は、ベースカバー部に対してスタンドカバー部を一定角度以上、例えば１８０度に近い角度まで回動させると、ヒンジ装置の左右のブラケットの側端面間がはさみの刃のように機能してしまう。その結果、このはさみの刃の切断力により、ベースカバー部とスタンドカバー部の表面材が破損や損傷を生じる可能性があることが分かってきた。
【０００６】
本発明は、上記従来技術の課題を考慮してなされたものであり、破損や損傷の発生を抑制することができるカバー装置を備える携帯用情報機器及びカバー装置を提供することを目的とする。
【課題を解決するための手段】
【０００７】
本発明の第１態様に係る携帯用情報機器は、携帯用情報機器であって、筐体と、前記筐体の背面を覆うように設けられるカバー装置と、を備え、前記カバー装置は、前記筐体の背面に沿って設けられるベースカバー部と、前記ベースカバー部に対して相対的に回動可能に設けられることで、前記筐体の背面に沿って設けられる収納位置と、前記筐体の背面から突出した起立位置とに移動可能なスタンドカバー部と、ヒンジ軸と、前記ヒンジ軸と回動可能に連結され、前記筐体の背面と相対的に固定される第１ブラケットと、前記第１ブラケットと前記ヒンジ軸の軸方向で隣接して設けられると共に、前記ヒンジ軸と回動可能に連結され、前記スタンドカバー部と固定される第２ブラケットと、を有するヒンジ装置と、を有し、前記第１ブラケットは、前記軸方向で前記第２ブラケット側を向いた側端面における前記ヒンジ軸側の根本部分に第１切欠形状部を有し、前記第２ブラケットは、前記軸方向で前記第１ブラケット側を向いた側端面における前記ヒンジ軸側の根本部分に第２切欠形状部を有する。
【０００８】
前記ベースカバー部は、第１芯材と、該第１芯材よりも柔軟な材質で形成され、該ベースカバー部の表面を形成する第１表面材と、を有し、前記スタンドカバー部は、第２芯材と、該第２芯材よりも柔軟な材質で形成され、該スタンドカバー部の表面を形成する第２表面材と、を有し、前記第１芯材は、前記第１ブラケットが配設される第１ブラケット配置穴と、該第１ブラケット配置穴の内周面から前記第１切欠形状部内へと突出した第１突出部を有し、前記第２芯材は、前記第２ブラケットが配設される第２ブラケット配置穴と、該第２ブラケット配置穴の内周面から前記第２切欠形状部内へと突出した第２突出部を有する構成としてもよい。
【０００９】
前記ヒンジ装置は、少なくとも前記ヒンジ軸の軸中心が前記ベースカバー部及び前記スタンドカバー部の表面よりも低い位置にある構成としてもよい。
【００１０】
前記筐体は、第１筐体と、前記第１筐体と隣接し、前記第１筐体と相対的に回動可能に連結された第２筐体と、を備え、前記ベースカバー部は、前記第１筐体の背面に対して前記第１筐体と前記第２筐体の並び方向に沿って相対移動可能に設けられたスライドカバー部と、前記第２筐体の背面に対して相対的に固定された固定カバー部と、前記スライドカバー部と前記固定カバー部との間を相対的に回動可能に接続する折曲カバー部と、を有し、前記スタンドカバー部は、前記第２筐体の背面に対して移動可能に配置され、前記ヒンジ装置を挟んで前記固定カバー部と隣接している構成としてもよい。
【００１１】
少なくとも前記第１筐体の表面に設けられたディスプレイと、前記第１筐体の表面における前記ディスプレイの周縁部に設けられたカメラと、をさらに備える構成としてもよい。
【００１２】
本発明の第２態様に係るカバー装置は、携帯用情報機器の筐体の背面を覆うカバー装置であって、ベースカバー部と、前記ベースカバー部に対して相対的に回動可能に設けられるスタンドカバー部と、ヒンジ軸と、前記ヒンジ軸と回動可能に連結され、前記ベースカバー部と相対的に固定される第１ブラケットと、前記第１ブラケットと前記ヒンジ軸の軸方向で隣接して設けられると共に、前記ヒンジ軸と回動可能に連結され、前記スタンドカバー部と固定される第２ブラケットと、を有するヒンジ装置と、を備え、前記第１ブラケットは、前記軸方向で前記第２ブラケット側を向いた側端面における前記ヒンジ軸側の根本部分に第１切欠形状部を有し、前記第２ブラケットは、前記軸方向で前記第１ブラケット側を向いた側端面における前記ヒンジ軸側の根本部分に第２切欠形状部を有する。
【００１３】
前記ベースカバー部は、第１芯材と、該第１芯材よりも柔軟な材質で形成され、該ベースカバー部の表面を形成する第１表面材と、を有し、前記スタンドカバー部は、第２芯材と、該第２芯材よりも柔軟な材質で形成され、該スタンドカバー部の表面を形成する第２表面材と、を有し、前記第１芯材は、前記第１ブラケットが配設される第１ブラケット配置穴と、該第１ブラケット配置穴の内周面から前記第１切欠形状部内へと突出した第１突出部を有し、前記第２芯材は、前記第２ブラケットが配設される第２ブラケット配置穴と、該第２ブラケット配置穴の内周面から前記第２切欠形状部内へと突出した第２突出部を有する構成としてもよい。
【００１４】
前記ヒンジ装置は、少なくとも前記ヒンジ軸の軸中心が前記ベースカバー部及び前記スタンドカバー部の表面よりも低い位置に設けられている構成としてもよい。
【発明の効果】
【００１５】
本発明の上記態様によれば、破損や損傷の発生を抑制することができる。
【図面の簡単な説明】
【００１６】
【図１】図１は、一実施形態に係る携帯用情報機器を閉じて積層形態とした状態を示す斜視図である。
【図２Ａ】図２Ａは、図１に示す携帯用情報機器を開いて平板形態とした状態を模式的に示す側面図である。
【図２Ｂ】図２Ｂは、図２Ａに示す携帯用情報機器をノート形態とした状態での側面図である。
【図２Ｃ】図２Ｃは、図２Ｂに示す携帯用情報機器を閉じて積層形態として状態での側面図である。
【図３】図３は、携帯用情報機器をカバー装置側から見た平面図である。
【図４】図４は、スタンドカバー部を起立位置として携帯用情報機器を立てた状態での模式的な斜視図である。
【図５】図５は、ヒンジ装置の模式的な平面図である。
【図６Ａ】図６Ａは、図３中のＶＩ−ＶＩ線での携帯用情報機器及びカバー装置の模式的な側面断面図である。
【図６Ｂ】図６Ｂは、図６Ａに示すスタンドカバー部を起立位置とした状態での側面断面図である。
【図７】図７は、図３に示すブラケットとその周辺部の構成を模式的に示す拡大図である。
【図８】図８は、図７中のＶＩＩＩ−ＶＩＩＩ線に沿う模式的な断面図である。
【発明を実施するための形態】
【００１７】
以下、本発明に係る携帯用情報機器及びカバー装置について好適な実施形態を挙げ、添付の図面を参照しながら詳細に説明する。
【００１８】
図１は、一実施形態に係る携帯用情報機器１０を閉じて積層形態とした状態を示す斜視図である。図２Ａは、図１に示す携帯用情報機器１０を開いて平板形態とした状態を模式的に示す側面図である。図２Ｂは、図２Ａに示す携帯用情報機器１０をノート形態とした状態での側面図である。図２Ｃは、図２Ｂに示す携帯用情報機器１０を閉じて積層形態として状態での側面図である。
【００１９】
図１〜図２Ｃに示すように、携帯用情報機器１０は、第１筐体１２Ａと、第２筐体１２Ｂと、カバー装置１４と、を備える。本実施形態の携帯用情報機器１０は、折り畳み可能なタブレット型ＰＣ或いはノート型ＰＣである。カバー装置１４は、筐体１２Ａ，１２Ｂの外面を覆うことでこれを保護する保護機能と、外面を装飾して外観意匠を高める装飾機能とを有する。カバー装置１４の装着対象となる携帯用情報機器は、当該携帯用情報機器１０の他、一般的なクラムシェル型のノート型ＰＣ、一枚板状のタブレット型ＰＣ、スマートフォン、又は携帯用ゲーム機等でもよい。
【００２０】
先ず、携帯用情報機器１０の構成を説明する。携帯用情報機器１０は、筐体１２Ａ，１２Ｂと、ディスプレイ１６と、を備える。
【００２１】
筐体１２Ａ，１２Ｂは、互いに隣接して配置されている。筐体１２Ａ，１２Ｂの隣接端部１２Ａａ，１２Ｂａは、背表紙部材１８で内側から覆われている。筐体１２Ａ，１２Ｂは、それぞれ隣接端部１２Ａａ，１２Ｂａ以外の３辺に側壁が起立した矩形の板状部材で形成されている。筐体１２Ａ，１２Ｂは、例えばステンレス、マグネシウム、若しくはアルミニウム等の金属板、又は、炭素繊維等の強化繊維を含む繊維強化樹脂板等で構成される。
【００２２】
以下、図１及び図２に示すように、携帯用情報機器１０について、筐体１２Ａ，１２Ｂの並び方向をＸ方向、これと直交する隣接端部１２Ａａ，１２Ｂａに沿った方向をＹ方向、と呼んで説明する。
【００２３】
筐体１２Ａ，１２Ｂは、互いの隣接端部１２Ａａ，１２Ｂａが一対のヒンジ１９，１９を介して連結されている。筐体１２Ａ，１２Ｂ間は、ヒンジ１９により、図２Ａに示す平板形態と図２Ｃに示す積層形態との間で相対的に回動可能に連結されている。ヒンジ１９は、所定の回転トルクを発生可能である。このため、筐体１２Ａ，１２Ｂ間は、互いの角度を９０度〜１４０度程度としたノート形態（図２Ｂ参照）でも安定する。ヒンジ１９は、例えば筐体１２Ａ，１２Ｂの隣接端部１２Ａａ，１２ＢａのＹ方向両端部にそれぞれ配置され、ディスプレイ１６の外周縁部の外側に位置している。本実施形態の携帯用情報機器１０は、ヒンジ１９による筐体１２Ａ，１２Ｂ間の回動中心がディスプレイ１６の表面と一致するように設定されている。
【００２４】
各筐体１２Ａ，１２Ｂの内部には、マザーボード及びこれに実装されたＣＰＵ等の各種半導体チップ、通信モジュール、バッテリ装置、冷却装置等の各種電子部品等が搭載されている。図２Ａ〜図２Ｃ中の参照符号１７は、第１筐体１２Ａの表面でディスプレイ１６を囲むベゼルに形成された開口から臨む撮像用等のカメラである。
【００２５】
ディスプレイ１６は、例えばタッチパネル式の液晶ディスプレイである。ディスプレイ１６は、隣接端部１２Ａａ，１２Ｂａを跨いでＹ方向に延在する帯状の範囲が折曲領域となる。これによりディスプレイ１６は、筐体１２Ａ，１２Ｂを折り畳んだ際に一緒に折り畳み可能であり、筐体１２Ａ，１２Ｂの開閉動作に伴って開閉する。ディスプレイ１６は、例えば柔軟性の高いペーパー構造を持った有機ＥＬ（Electro  Luminescence）等のフレキシブルディスプレイである。
【００２６】
次に、カバー装置１４の全体構成を説明する。図３は、携帯用情報機器１０をカバー装置１４側から見た平面図である。
【００２７】
図１〜図３に示すように、カバー装置１４は、筐体１２Ａ，１２Ｂの背面１２Ａｂ，１２Ｂｂを覆うように設けられている。カバー装置１４は、使用形態（図２Ａ参照）では背面１２Ａｂ，１２Ｂｂの全面を覆う。カバー装置１４は、ノート形態及び収納形態（図２Ｂ及び図２Ｂ参照）では背面１２Ａｂの大部分と背面１２Ｂｂの全面とを覆う。
【００２８】
カバー装置１４は、ベースカバー部２０と、スタンドカバー部２２と、ヒンジ装置２４と、を備える。カバー部２０，２２は、ヒンジ装置２４を挟んでＸ方向に延在している。カバー部２０，２２は、使用形態時には、全体として背面１２Ａｂ，１２Ｂｂの全面、つまり第１筐体１２Ａの開放端部１２Ａｃから第２筐体１２Ｂの開放端部１２Ｂｃまでを覆う。開放端部１２Ａｃ，１２Ｂｃは、それぞれＸ方向で隣接端部１２Ａａ，１２Ｂａとは逆側に位置し、Ｙ方向に延びた端部である。
【００２９】
ベースカバー部２０は、第１筐体１２Ａ側から第２筐体１２Ｂ側に向かって順に、スライドカバー部２６と、折曲カバー部２７と、固定カバー部２８と、を有する。
【００３０】
スライドカバー部２６は、第１筐体１２Ａの背面１２Ａｂに対してＸ方向に相対移動可能に設けられた薄いプレート状部材である。図２Ａ及び図３に示す平板形態時、スライドカバー部２６は、先端部２６ａが第１筐体１２Ａの開放端部１２Ａｃと一致する。先端部２６ａは、Ｘ方向で折曲カバー部２７との境界線Ｂ１とは逆側に位置し、Ｙ方向に延びた端部である。図２Ｂ及び図２Ｃに示すノート形態時及び平板形態時、スライドカバー部２６は、それぞれ先端部２６ａが開放端部１２Ａｃから隣接端部１２Ａａ側に後退した位置までスライドする。スライドカバー部２６の第１筐体１２Ａに対するスライド構造は特に限定されないが、例えばスライドカバー部に固定されたレールに対し、第１筐体１２Ａに固定されたスライド部品をＸ方向に摺動可能に連結したスライド機構で構成される。
【００３１】
折曲カバー部２７は、筐体１２Ａ，１２Ｂ間の隣接端部１２Ａａ，１２Ｂａを跨ぐ位置に設けられ、Ｘ方向に幅狭でＹ方向に延びた帯状領域である。折曲カバー部２７は、第１筐体１２Ａ側でＹ方向に沿った境界線Ｂ１でスライドカバー部２６と折曲可能に接続されている。折曲カバー部２７は、第２筐体１２Ｂ側でＹ方向に沿った境界線Ｂ２で固定カバー部２８と折曲可能に接続されている。折曲カバー部２７は、全体として可撓性を有し、スライドカバー部２６と固定カバー部２８との間を相対的に回動可能に接続している。折曲カバー部２７は、筐体１２Ａ，１２Ｂ間の回動動作にカバー装置１４を追従して回動させるためのフレキシブルヒンジである。折曲カバー部２７は、少なくとも図２Ｃに示す積層形態時に筐体１２Ａ，１２Ｂの隣接端部１２Ａａ，１２Ｂａ間を覆うことができるＸ方向の幅寸法を持った折曲領域である。
【００３２】
固定カバー部２８は、折曲カバー部２７の一部とスタンドカバー部２２と共に第２筐体１２Ｂの背面１２Ａｂを覆う薄いプレート状部材である。固定カバー部２８は、スタンドカバー部２２と略線対称形状を成しており、本実施形態では平面視略台形状である。固定カバー部２８は、第２筐体１２Ｂの背面１２Ａｂと相対的に固定されている。本実施形態の固定カバー部２８は、背面１２Ａｂに直接固定されている。固定カバー部２８は、Ｘ方向で境界線Ｂ２側とは逆側の縁部２８ａが、ヒンジ装置２４を介してスタンドカバー部２２と隣接している。縁部２８ａは、Ｙ方向に向かって次第にＸ方向に傾斜している。
【００３３】
図４は、スタンドカバー部２２を起立位置として携帯用情報機器１０を立てた状態での模式的な斜視図である。図４に示すように、スタンドカバー部２２は、ベースカバー部２０の固定カバー部２８及び第２筐体１２の背面１２Ｂｂに対して相対的に回動可能に設けられている。本実施形態のスタンドカバー部２２は、ヒンジ装置２４を介して第２筐体１２Ｂの背面１２Ａｂに連結されている。
【００３４】
図２Ａ〜図４に示すように、スタンドカバー部２２は、固定カバー部２８と略線対称形状を成しており、本実施形態では平面視略台形状である。スタンドカバー部２２は、固定カバー部２８の縁部２８ａとヒンジ装置２４を挟んで隣接する縁部２２ａがヒンジ装置２４と連結される。スタンドカバー部２２は、縁部２２ａ側と逆側の先端部２２ｂが第２筐体１２Ｂの開放端部１２Ｂｃと一致する。
【００３５】
スタンドカバー部２２は、ヒンジ装置２４の回転動作により、先端部２２ｂが背面１２Ｂｂに当接した収納位置（０度）から、背面１２Ｂｂから次第に離間する方向に移動可能である。先端部２２ｂは、最大でベースカバー部２０の表面２０ａに当接してそれ以上の移動が規制される位置（１８０度）まで移動可能である。これによりスタンドカバー部２２は、背面１２Ｂｂに沿って設けられる収納位置（図２Ａ及び図３参照）と、背面１２Ａｂから突出した起立位置（例えば図４参照）との間で移動可能である。
【００３６】
図４に示すように、スタンドカバー部２２は、固定カバー部２８に対して適度な角度（起立位置）に設定することで、平板形態とした携帯用情報機器１０を起立姿勢に維持するスタンドとして機能する。起立位置において、スタンドカバー部２２は、台形の下底となる底縁部２２ｃが机面上等に当接し、携帯用情報機器１０を背面１２Ａｂ，１２Ｂｂ側に少し倒れた所定の起立姿勢に維持することができる。
【００３７】
図５は、ヒンジ装置２４の模式的な平面図である。ヒンジ装置２４は、スタンドカバー部２２をベースカバー部２０及び第２筐体１２Ｂに対して相対的に回動可能に連結する。図３及び図５に示すように、ヒンジ装置２４は、ヒンジ軸３０と、第１ブラケット３１Ａ，３１Ｂと、第２ブラケット３２Ａ，３２Ｂと、を備える。本実施形態のヒンジ装置２４は、互いに近接したブラケット３１Ａ，３２Ａの組と、ブラケット３１Ｂ，３２Ｂの組とがそれぞれ対であり、それぞれ１つのヒンジを構成する。第１及び第２ブラケットの組は１個又は３個以上でもよい。
【００３８】
ヒンジ軸３０は、スタンドカバー部２２の縁部２２ａと固定カバー部２８の縁部２８ａとの間に介在し、これら縁部２２ａ，２８ａに沿って延在した金属製の棒状部材である。ヒンジ軸３０は、縁部２２ａ，２８ａに沿ってＸＹ方向に傾斜している。
【００３９】
第１ブラケット３１Ａ，３１Ｂは、第２筐体１２Ｂに対する取付金具である。第１ブラケット３１Ａ，３１Ｂはそれぞれ、取付板３１ａと、支持筒体３１ｂと、を有する。第１ブラケット３１Ａ，３１Ｂは、ベースカバー部２０に固定される構成でもよい。第１ブラケット３１Ａ，３１Ｂは、第２筐体１２Ｂに対する取付板３１ａを有する。取付板３１ａは、支持筒体３１ｂを介してヒンジ軸３０と連結されている。
【００４０】
取付板３１ａは、略矩形状の金属板である。取付板３１ａには、四隅に対応するように、３つの孔部３１ｃと１つの切欠形状部３１ｄとが設けられている。孔部３１ｃは、取付板３１ａを板厚方向に貫通した円形状の孔である。孔部３１ｃは、第１ブラケット３１Ａ，３１Ｂを第２筐体１２Ｂに固定するねじ３３（図６Ａ参照）の締結孔である。
【００４１】
切欠形状部３１ｄは、取付板３１ａの支持筒体３１ｂに対する根本部分に設けられている。一方の第１ブラケット３１Ａの切欠形状部３１ｄは、ヒンジ軸３０の軸方向で対となる第２ブラケット３２Ａ側を向いた側端面３１ｅに形成されている。他方の第１ブラケット３１Ｂの切欠形状部３１ｄは、ヒンジ軸３０の軸方向で対となる第２ブラケット３２Ｂ側を向いた側端面３１ｅに形成されている。切欠形状部３１ｄは、切欠きの奥部が孔部３１ｃと同径の半円を形成している。これにより切欠形状部３１ｄは、孔部３１ｃと同様にねじ３３の締結孔としても兼用される。
【００４２】
取付板３１ａは、側端面３１ｅと逆側の側端面にヒンジ軸３０の軸方向に沿って突出した位置決め片３１ｆが形成されている。位置決め片３１ｆは、ベースカバー部２０（固定カバー部２８）に対するヒンジ装置２４の位置決め部である。
【００４３】
支持筒体３１ｂは、取付板３１ａのヒンジ軸３０に対する取付部である。支持筒体３１ｂは、ヒンジ軸３０に外挿され、外周面から取付板３１ａが突出している。
【００４４】
第２ブラケット３２Ａ，３２Ｂは、スタンドカバー部２２に対する取付金具である。第２ブラケット３２Ａ，３２Ｂはスタンドカバー部２２に対する取付板３２ａを有する。取付板３２ａは、支持筒体３２ｂを介してヒンジ軸３０と連結されている。
【００４５】
取付板３２ａは、略矩形状の金属板である。取付板３２ａには、四隅に対応するように４つの孔部３２ｃが設けられている。孔部３２ｃは、取付板３２ａを板厚方向に貫通した円形状の孔である。孔部３２ｃは、取付板３２ａの軽量化のための切抜き穴であり、省略されてもよい。
【００４６】
取付板３２ａの支持筒体３２ｂに対する根本部分には、切欠形状部３２ｄが設けられている。図５では、取付板３２ａの根本部分の両側端面のそれぞれに切欠形状部３２ｄを設けた構成を例示している。しかしながら、一方の第２ブラケット３２Ａの切欠形状部３２ｄは、少なくとも対となる第１ブラケット３１Ａ側を向いた側端面３２ｅに形成されていればよい。同様に、他方の第２ブラケット３２Ｂの切欠形状部３２ｄは、少なくとも対となる第１ブラケット３１Ｂ側を向いた側端面３２ｅに形成されていればよい。切欠形状部３２ｄは、取付板３２ａの根本部分を略台形状に切欠いた形状である。切欠形状部３２ｄは、切欠形状部３１ｄと同様な形状でもよい。逆に、切欠形状部３１ｄが切欠形状部３２ｄと同様な形状でもよく、この場合は、取付板３１ａに４つの孔部３１ｃを設けるとよい。
【００４７】
取付板３２ａは、支持筒体３２ｂと逆側の端面にヒンジ軸３０の軸方向と直交する方向に突出した位置決め片３２ｆが形成されている。位置決め片３２ｆは、スタンドカバー部２２に対するヒンジ装置２４の位置決め部である。
【００４８】
支持筒体３２ｂは、取付板３２ａのヒンジ軸３０に対する取付部である。支持筒体３２ｂは、ヒンジ軸３０に外挿され、外周面から取付板３２ａが突出している。
【００４９】
このようなヒンジ装置２４は、一対の第１ブラケット３１Ａ，３１Ｂの支持筒体３１ｂがヒンジ軸３０に対してその軸周りに所定の回転トルクを持って相対的に回転可能に支持される。又は、一対の第２ブラケット３２Ａ，３２Ｂの支持筒体３２ｂがヒンジ軸３０に対してその軸周りに所定の回転トルクを持って相対的に回転可能に支持される。これによりヒンジ装置２４は、第１ブラケット３１Ａ，３１Ｂが相対的に固定される第２筐体１２Ｂ及びベースカバー部２０に対して、第２ブラケット３２Ａ，３２Ｂが固定されるスタンドカバー部２２を所定の回転トルクで相対的に回動可能に連結する。その結果、スタンドカバー部２２は、所望の角度の起立位置に保持することができ、携帯用情報機器１０のキックスタンドとして機能する（図４参照）。
【００５０】
次に、カバー装置１４の具体的な内部構造を説明する。図６Ａは、図３中のＶＩ−ＶＩ線での携帯用情報機器１０及びカバー装置１４の模式的な側面断面図である。図６Ｂは、図６Ａに示すスタンドカバー部２２を起立位置とした状態での側面断面図である。なお、図３中のＶＩ−ＶＩ線は、第１ブラケット３１Ａをヒンジ軸３０の軸方向に直交する方向に切断した後、ヒンジ軸３０の軸方向に沿って延在し、さらに第２ブラケット３２Ａをヒンジ軸３０の軸方向に直交する方向に切断するものである。
【００５１】
図６Ａ及び図６Ｂに示すように、ベースカバー部２０において、固定カバー部２８は、第２筐体１２Ｂの背面１２Ｂｂ側から順に、芯材３４と、グラファイトシート３５と、補助シート３６と、表面材３７と、を積層した構造である。
【００５２】
芯材３４は、固定カバー部２８のベースとなる硬質の部材である。芯材３４は、固定カバー部２８の略全面に亘って延在しており、各所に軽量化等のための切欠き孔や切抜き孔が形成されている。芯材３４は、例えばガラス繊維にエポキシ樹脂を含浸させたガラス繊維強化樹脂（ＧＦＲＰ）やポリカーボネート（ＰＣ）等の樹脂で成形されたプレート状部材である。芯材３４は、例えば１〜２ｍｍ程度の板厚を有する。本実施形態の芯材３４は、両面テープやねじ等の固定部材３８を用いて第２筐体１２に固定される。
【００５３】
グラファイトシート３５は、芯材３４の表面に両面テープや粘着剤等で固定され、積層されている。グラファイトシート３５は、ベースカバー部２０の略全面に亘って延在している。グラファイトシート３５は、例えば０．０５〜０．１５ｍｍ程度の厚みを有する。グラファイトシート３５は、携帯用情報機器１０内で発生した熱を吸熱し、拡散する熱拡散シートである。グラファイトシート３５を有することにより、ベースカバー部２０は、その表面２０ａでの局所的な高温部（ホットスポット）の形成が抑制される。グラファイトシート３５は、省略してもよい。
【００５４】
補助シート３６は、グラファイトシート３５の表面に両面テープや粘着剤等で固定され、積層されている。補助シート３６は、グラファイトシート３５の表面の略全面を覆うように設けられ、グラファイトシート３５が持つしわ等の凹凸形状が表面材３７に転写されることを防止する。補助シート３６は、芯材３４よりも柔軟で、且つ表面材３７よりも硬質である。補助シート３６は、例えばポリカーボネート（ＰＣ）等の樹脂で成形されたシート状部材である。補助シート３６は、例えば０．１〜０．５ｍｍ程度の厚みを有する。補助シート３６は、省略してもよい。
【００５５】
表面材３７は、ベースカバー部２０の外観意匠や触感を高めるための表皮材である。表面材３７は、補助シート３６の表面に両面テープや粘着剤等で固定され、積層されている。表面材３７は、ベースカバー部２０の表面２０ａを形成するように補助シート３６の全面を覆っている。表面材３７は、人工皮革、天然皮革、或いは樹脂等で形成され、補助シート３６や芯材３４よりも柔軟なシート状部材である。表面材３７は、例えば０．５〜１ｍｍ程度の厚みを有する。
【００５６】
詳細な説明は省略するが、ベースカバー部２０のスライドカバー部２６は、固定カバー部２８と同一の断面構造を持った積層体である。スライドカバー部２６は、芯材３４の裏面に上記したスライド機構のレールが固定される。折曲カバー部２７は、フレキシブルヒンジとしての柔軟性が必要があるため、固定カバー部２８やスライドカバー部２６とは異なり、芯材３４を持たない構成となっている。つまり折曲カバー部２７は、第２筐体１２Ｂの背面１２Ａｂ側から順に、グラファイトシート３５と、補助シート３６と、表面材３７と、を積層した構造である。なお、グラファイトシート３５の裏面、つまりグラファイトシート３５と筐体１２Ａ，１２Ｂとの間には、補助シート３６と同様なシート状部材等を積層しておくとよい。
【００５７】
図６Ａ及び図６Ｂに示すように、スタンドカバー部２２は、第２筐体１２Ｂの背面１２Ａｂ側から順に、裏面材４０と、芯材４１と、補助シート４２と、表面材４３と、を積層した構造である。
【００５８】
裏面材４０は、起立位置で外観上に現れるスタンドカバー部２２の裏面２２ｄの外観意匠や触感を高めるための表皮材である。裏面材４０は、芯材４１の裏面に両面テープや粘着剤等で固定され、積層されている。裏面材４０は、人工皮革、天然皮革、或いは樹脂等で形成された柔軟なシート状部材である。裏面材４０は、例えば０．５〜１ｍｍ程度の厚みを有する。
【００５９】
芯材４１、補助シート４２、及び表面材４３は、上記したベースカバー部２０の芯材３４、補助シート３６、及び表面材３７と同一又は同様な構成でよいため、詳細な説明は省略する。
【００６０】
上記したベースカバー部２０やスタンドカバー部２２の積層構造は、適宜変更可能であり、その積層数や積層順も適宜変更可能である。なお、図６Ａ及び図６Ｂ中の参照符号４４は、第２筐体１２Ｂ内に搭載されたバッテリ装置である。
【００６１】
図６Ａに示すように、本実施形態のヒンジ装置２４は、ヒンジ軸３０の全体がベースカバー部２０及びスタンドカバー部２２の表面材３７，４３の表面よりも低い位置にある。これにより、第２筐体１２Ｂの底面を形成するカバー装置１４は、その表面にヒンジ軸３０やブラケット３１Ａ等が突出しないため、高い外観品質や触感が得られる。なお、ヒンジ装置２４は、少なくともヒンジ軸３０の軸中心がベースカバー部２０及びスタンドカバー部２２の表面材３７，４３の表面よりも低い位置にあれば、ヒンジ軸３０のカバー装置１４の表面からの突出量を抑制できる。
【００６２】
図７は、図３に示すブラケット３１Ａ，３２Ａとその周辺部の構成を模式的に示す拡大図である。図８は、図７中のＶＩＩＩ−ＶＩＩＩ線に沿う模式的な断面図である。図７は、表面材３７，４３、補助シート３６，４２、及びグラファイトシート３５を取り外してブラケット３１Ａ，３２Ａ及び芯材３４，４１を露出させた状態を図示している。図示はしないが、他方のブラケット３１Ｂ，３２Ｂとその周辺部の構成は、図７に示す構成とヒンジ軸３０に直交する平面に対して対象構造である以外は同様である。
【００６３】
図７及び図８に示すように、固定カバー部２８の芯材３４は、ブラケット配置穴３４ａと、位置決め凹部３４ｂと、突出部３４ｃと、を有する。
【００６４】
ブラケット配置穴３４ａは、縁部２８ａに臨んで開口した湾形状の孔部であり、内側に第１ブラケット３１Ａ（３１Ｂ）が配置される。ブラケット配置穴３４ａは、第１ブラケット３１Ａ（３１Ｂ）の外形よりも多少大きな内周形状を有する。位置決め凹部３４ｂは、ブラケット配置穴３４ａの内周面から凹むように切欠き状に設けられている。第１ブラケット３１Ａ（３１Ｂ）は、位置決め片３１ｆが位置決め凹部３４ｂに嵌合されることで、芯材３４と位置決めされる。ブラケット配置穴３４ａは、貫通孔ではなく凹状の穴部でもよい。
【００６５】
突出部３４ｃは、ブラケット配置穴３４ａの内周面のうち、第１ブラケット３１Ａ（３１Ｂ）の切欠形状部３１ｄと対向する部分から切欠形状部３１ｄ内に入り込む位置まで突出した板片である。突出部３４ｃは、その先端が少なくとも側端面３１ｅを越えて切欠形状部３１ｄ内に進入した位置まで延びている。なお、本実施形態の切欠形状部３１ｄは、ねじ３３の締結孔としても兼用されるため、突出部３４ｃは切欠形状部３１ｄの浅い位置までしか進入していない。ねじ３３の締結を考慮しない構成の場合、突出部３４ｃは切欠形状部３１ｄの奥部まで進入する形状でもよい。
【００６６】
図７及び図８に示すように、スタンドカバー部２２の芯材４１は、ブラケット配置穴４１ａと、位置決め凹部４１ｂと、突出部４１ｃと、を有する。
【００６７】
ブラケット配置穴４１ａは、縁部２２ａに臨んで開口した湾形状の孔部であり、内側に第２ブラケット３２Ａ（３２Ｂ）が配置される。ブラケット配置穴４１ａは、第２ブラケット３２Ａ（３２Ｂ）の外形よりも多少大きな内周形状を有する。位置決め凹部４１ｂは、ブラケット配置穴４１ａの内周面から凹むように切欠き状に設けられている。第２ブラケット３２Ａ（３２Ｂ）は、位置決め片３２ｆが位置決め凹部４１ｂに嵌合されることで、芯材４１と位置決めされる。ブラケット配置穴４１ａは、貫通孔ではなく凹状の穴部でもよい。
【００６８】
突出部４１ｃは、ブラケット配置穴４１ａの内周面のうち、第２ブラケット３２Ａ（３２Ｂ）の切欠形状部３２ｄと対向する部分から切欠形状部３２ｄ内に入り込む位置まで突出した板片である。突出部４１ｃは、その先端が少なくとも側端面３２ｅを越えて切欠形状部３２ｄ内に進入した位置まで延びている。
【００６９】
ところで、このようなカバー装置１４のヒンジ装置２４は、第１ブラケット３１Ａ（３１Ｂ）と第２ブラケット３２Ａ（３２Ｂ）とが、ヒンジ軸３０の軸方向で互いに干渉しない位置でありながらも、互いに可及的に近接している必要がある。つまりブラケット３１Ａ（３１Ｂ），３２Ａ（３２Ｂ）は、互いの側端面３１ｅ，３２ｅ同士がヒンジ軸３０の軸方向で略同一平面上又はこの平面を挟んで僅かに離間した位置にある必要がある。ブラケット３１Ａ（３１Ｂ），３２Ａ（３２Ｂ）間が軸方向で離間していると、回動動作時にブラケット３１Ａ（３１Ｂ），３２Ａ（３２Ｂ）間にねじりやがたつきを生じてスタンドカバー部２２の回動動作や起立位置での保持が安定しない可能性があるからである。或いは、ブラケット３１Ａ（３１Ｂ），３２Ａ（３２Ｂ）間が離間していると、想定通りの回転トルクを発生できなくなる恐れがあるからである。
【００７０】
他方、このようなヒンジ装置２４では、スタンドカバー部２２が固定カバー部２８に対して９０度を越えて回動させられる場合、つまり図６Ｂに示す位置からさらにスタンドカバー部２２を図中で右側に倒される場合もある。この場合、第２ブラケット３２Ａ（３２Ｂ）が第１ブラケット３１Ａ（３１Ｂ）に次第に近づくと、互いの側端面３１ｅ，３２ｅ同士がはさみの刃のように作用する。その結果、側端面３１ｅ，３２ｅ間に切断力が発生し、その間にある表面材３７，４３が破損或いは損傷する懸念がある。
【００７１】
この点、本実施形態のカバー装置１４は、互いに対となってヒンジを構成する第１ブラケット３１Ａ（３１Ｂ）と第２ブラケット３２Ａ（３２Ｂ）とが、それぞれ互いの側を向いた側端面３１ｅ，３２ｅの根本部分に切欠形状部３１ｄ，３２ｄを有する。従って、スタンドカバー部２２の表面材４３が固定カバー部２８の表面材３７に当接するまで起立方向に回動された場合であっても、はさみの刃のように接近する側端面３１ｅ，３２ｅ間で、表面材３７，４３が破損することを抑制できる。すなわち、切欠形状部３１ｄ，３２ｄは、はさみの刃でいうところの回転軸に近い根本部分を凹状に凹ませたものであり、側端面３１ｅ，３２ｅ間に生じる切断力を削減することができるからである。
【００７２】
ところで、ブラケット３１Ａ（３１Ｂ），３２Ａ（３２Ｂ）は、切欠形状部３１ｄ，３２ｄを根本部分に設けたことで、表面材３７，４３が切断力を受けることは抑制できる。ところが、表面材３７，４３は、互いに当接することで押圧力を受け、切欠形状部３１ｄ，３２ｄ内に押し込まれるように圧縮され、それによって損傷する懸念もある。
【００７３】
そこで、当該カバー装置１４は、図７及び図８に示すように、硬質の芯材３４，４１が、切欠形状部３１ｄ，３２ｄ内に入り込む突出部３４ｃ，４１ｃを有する。これにより切欠形状部３１ｄ，３２ｄと重なる位置で表面材３７，４３同士が互いに圧縮された場合であっても、それぞれの裏側が硬質の突出部３４ｃ，４１ｃで支持されている。このため、表面材３７，４３は、相互に押し付けられた際に切欠形状部３１ｄ，３２ｄ内に押し込まれて破損することが抑制される。表面材３７，４３の破損防止は、切欠形状部３１ｄ，３２ｄのみでも十分な効果が得られれば、突出部３４ｃ，４１ｃは省略してもよい。
【００７４】
本実施形態のヒンジ装置２４は、少なくともヒンジ軸３０の軸中心がベースカバー部２０及びスタンドカバー部２２の表面材３７，４３の表面よりも低い位置にある。すなわち、実質的に第２筐体１２Ｂの底面を形成するカバー装置１４は、その表面にヒンジ軸３０やブラケット３１Ａ等が突出することを抑制できる。このため、図２Ｂに示すノート形態において、机面上等に載置される本体側となる第２筐体１２Ｂの底面が平坦になり、高い安定性が確保される。しかも、ノート形態で本体側となる第２筐体１２Ｂにスタンドカバー部２２及び固定カバー部２８を設けているため、ノート形態から積層形態や平板形態に変化させた際、スライドカバー部２６が机面上等で擦れることもない。また、カメラ１７は、ノート形態では、一般的なノート型ＰＣでいうディスプレイ側（第１筐体１２Ａ側）に設けられているため、円滑に使用できる。
【００７５】
なお、本発明は、上記した実施形態に限定されるものではなく、本発明の主旨を逸脱しない範囲で自由に変更できることは勿論である。
【００７６】
上記では、折り畳み型の携帯用情報機器１０を例示した。しかしながら、携帯用情報機器が折り畳み型ではない平板型のタブレット型ＰＣ等の場合、カバー装置１４のベースカバー部２０は、スライドカバー部２６及び折曲カバー部２７を省略し、固定カバー部２８のみで構成すればよい。
【００７７】
上記では、スタンドカバー部２２は、その底縁部２２ｃが第２筐体１２ＢのＸ方向に延びた下端面と一致する構成であるため、ヒンジ軸３０をＸＹ方向に対して傾斜した姿勢で配置し、図４に示す起立位置で携帯用情報機器１０が多少後倒しの起立姿勢となるようにしていた。しかしながら、スタンドカバー部２２の設置位置等によっては、ヒンジ軸３０は、Ｘ方向又はＹ方向に平行に設置されてもよい。
【００７８】
上記では、カバー装置１４は、筐体１２Ａ，１２Ｂに一体的に固定される構成を例示した。しかしながら、カバー装置１４は、携帯用情報機器１０とは完全に別体の単独部品でもよく、この場合、カバー装置１４は、例えば磁石やフックを用いて筐体１２Ａ，１２Ｂに着脱可能に装着される構成でもよい。なお、このようなカバー装置１４では、第１ブラケット３１Ａ，３１Ｂは、固定カバー部２８の芯材３４に固定されればよい。
【００７９】
上記では、本のように二つ折りに折り畳み可能な携帯用情報機器１０を例示したが、折り畳み型の携帯用情報機器としては、同形の筐体同士を二つ折りに折り畳む構成以外、例えば大形の筐体の左右縁部にそれぞれ小形の筐体を折り畳み可能に連結した観音開きの構成、１つの筐体の左右縁部にそれぞれ折り畳み方向の異なる筐体を連結したＳ型の折り畳み構成、大形の筐体の左右一方の縁部に小形の筐体を折り畳み可能に連結したＪ型の折り畳み構成等、各種構成を例示でき、筐体の連結数は４以上としてもよい。この場合、カバー装置１４は、各筐体の全部又は一部の背面を覆う構成とすればよく、２以上が同時に利用されてもよい。
【符号の説明】
【００８０】
１０  携帯用情報機器
１２Ａ  第１筐体
１２Ｂ  第２筐体
１４  カバー装置
１６  ディスプレイ
１７  カメラ
２０  ベースカバー部
２２  スタンドカバー部
２４  ヒンジ装置
２６  スライドカバー部
２７  折曲カバー部
２８  固定カバー部
３０  ヒンジ軸
３１Ａ，３１Ｂ  第１ブラケット
３１ｄ，３２ｄ  切欠形状部
３２Ａ，３２Ｂ  第２ブラケット
３４，４１  芯材
３４ａ  ブラケット配置穴
３４ｃ，４１ｃ  突出部
３７，４３  表面材
【要約】
【課題】破損や損傷の発生を抑制することができるカバー装置を備える携帯用情報機器及びカバー装置を提供する。
【解決手段】携帯用情報機器は、筐体と、前記筐体の背面を覆うように設けられるカバー装置と、を備える。前記カバー装置は、ベースカバー部と、前記ベースカバー部に対して相対的に回動可能に設けられることで、前記筐体の背面に沿って設けられる収納位置と、前記筐体の背面から突出した起立位置とに移動可能なスタンドカバー部と、ヒンジ装置と、を有する。前記第１ブラケットは、前記軸方向で前記第２ブラケット側を向いた側端面における前記ヒンジ軸側の根本部分に第１切欠形状部を有する。前記第２ブラケットは、前記軸方向で前記第１ブラケット側を向いた側端面における前記ヒンジ軸側の根本部分に第２切欠形状部を有する。
【選択図】図７【図１】
0006945696.tif 000002
【図２Ａ】
0006945696.tif 000003
【図２Ｂ】
0006945696.tif 000004
【図２Ｃ】
0006945696.tif 000005
【図３】
0006945696.tif 000006
【図４】
0006945696.tif 000007
【図５】
0006945696.tif 000008
【図６Ａ】
0006945696.tif 000009
【図６Ｂ】
0006945696.tif 000010
【図７】
0006945696.tif 000011
【図８】
0006945696.tif 000012